(57)【特許請求の範囲】
【請求項１】
２つの記録媒体を装着可能であり、装着された記録媒体のソフトデータの読み出しおよび書き込みを行う記録再生装置において、記録媒体上のソフトデータ毎に、第１状態、第２状態またはその他状態を示す許可データを付加して、該記録媒体上のソフトデータの読み出しおよび書き込みの管理を行うソフトデータの管理方法であって、
一方の記録媒体の１つのソフトデータの他方の記録媒体への移動指示を受け付けるステップと、
該移動指示に応じて、前記一方の記録媒体からソフトデータに付加された許可データを読み出すステップと、
該読み出した許可データがその他状態である場合、前記記録再生装置の表示部にダビングができない旨の表示を行うステップと、
該読み出した許可データが第１状態または第２状態である場合、読み出したソフトデータを前記他方の記録媒体上に書き込むステップと、
該読み出した許可データが第１状態である場合、前記書き込むステップの実行後、前記一方の記録媒体上のソフトデータを削除するステップと、
を備えたことを特徴とするソフトデータの管理方法。
【請求項２】
デジタル接続ケーブルで接続された２台の記録再生装置であって、それぞれ装着した記録媒体のソフトデータの読み出しおよび書き込みを行う記録再生装置からなる記録再生システムにおいて、記録媒体上のソフトデータ毎に、第１状態、第２状態またはその他状態を示す許可データを付加するとともに、一方の記録再生装置で記録媒体上のソフトデータを再生して他方の記録再生装置に送信し、他方の記録再生装置でその送信されたソフトデータを記録する際に、各記録再生装置で該記録媒体上のソフトデータの読み出しおよび書き込みの管理を行うソフトデータの管理方法であって、
ソフトデータの記録再生に先立って、前記一方の記録再生装置で再生するソフトデータに付加された許可データを前記他方の記録再生装置との間で送受信することにより、該許可データが第１状態または第２状態であり、かつ、２台の記録再生装置が同規格の機種であることを確認するステップと、
前記確認が行われたことを条件に、前記一方の記録再生装置において、該ソフトデータの記録媒体からの再生および前記他方の記録再生装置への送信を行うとともに、前記他方の記録再生装置において、送信されたソフトデータの記録媒体への記録を行うステップと、
前記他方の記録再生装置における記録媒体への記録終了に応じて、前記一方の記録再生装置において、前記許可データの状態を判定し、該許可データが第１状態であれば、前記一方の記録再生装置の記録媒体上の前記ソフトデータを削除するステップと、
を備えたことを特徴とするソフトデータの管理方法。
【発明の詳細な説明】
【０００１】
【発明の属する技術分野】
本発明は、コンパクトディスク（ＣＤ）、ミニディスク（ＭＤ）、デジタルオーディオテープ（ＤＡＴ）などの記録媒体に記録されたデジタルのソフトデータの記録再生に係わり、オリジナルのソフトデータの著作権の保護を図りながら編集等を容易に行えるようにしたソフトデータの管理方法に関する。
【０００２】
【従来の技術】
従来、ＣＤ、ＭＤ、ＤＡＴなどで扱われるソフトデータは、デジタル信号のまま録音すると劣化なく録音することができるが、著作権保護の観点から、記録媒体に記録されたデジタル信号をデジタル信号のまま他の記録媒体に録音することを１世代までと規制している。そして、１世代目のＭＤやＤＡＴのデジタル信号を、デジタル信号のまま他のＭＤやＤＡＴに録音することはできない。
【０００３】
【発明が解決しようとする課題】
このため、例えばレンタルしたＣＤの楽曲などをデジタル信号のままＭＤやＤＡＴにコピーすることはできるが、この１世代目のＭＤやＤＡＴから好きな曲だけを集めて他のＭＤやＤＡＴにデジタル信号のままコピーするといったことができない。すなわち、デジタル信号をデジタル信号のまま録音することで音質を劣化させないようにすると、自由に編集することが困難となる。
【０００４】
本発明は、ＣＤ、ＭＤ、ＤＡＴなどの記録媒体に記録されたソフトデータについて、その音質等を劣化させずに録音し、かつ、複製を作らないようにしながら、編集を容易にすることを課題とする。
【０００５】
【課題を解決するための手段】
本発明の請求項１記載のソフトデータの管理方法は、２つの記録媒体を装着可能であり、装着された記録媒体のソフトデータの読み出しおよび書き込みを行う記録再生装置において、記録媒体上のソフトデータ毎に、第１状態、第２状態またはその他状態を示す許可データを付加して、該記録媒体上のソフトデータの読み出しおよび書き込みの管理を行うソフトデータの管理方法であって、一方の記録媒体の１つのソフトデータの他方の記録媒体への移動指示を受け付けるステップと、該移動指示に応じて、前記一方の記録媒体からソフトデータに付加された許可データを読み出すステップと、該読み出した許可データがその他状態である場合、前記記録再生装置の表示部にダビングができない旨の表示を行うステップと、該読み出した許可データが第１状態または第２状態である場合、読み出したソフトデータを前記他方の記録媒体上に書き込むステップと、該読み出した許可データが第１状態である場合、前記書き込むステップの実行後、前記一方の記録媒体上のソフトデータを削除するステップと、を備えたことを特徴とする。
【０００６】
本発明の請求項２記載のソフトデータの管理方法は、デジタル接続ケーブルで接続された２台の記録再生装置であって、それぞれ装着した記録媒体のソフトデータの読み出しおよび書き込みを行う記録再生装置からなる記録再生システムにおいて、記録媒体上のソフトデータ毎に、第１状態、第２状態またはその他状態を示す許可データを付加するとともに、一方の記録再生装置で記録媒体上のソフトデータを再生して他方の記録再生装置に送信し、他方の記録再生装置でその送信されたソフトデータを記録する際に、各記録再生装置で該記録媒体上のソフトデータの読み出しおよび書き込みの管理を行うソフトデータの管理方法であって、ソフトデータの記録再生に先立って、前記一方の記録再生装置で再生するソフトデータに付加された許可データを前記他方の記録再生装置との間で送受信することにより、該許可データが第１状態または第２状態であり、かつ、２台の記録再生装置が同規格の機種であることを確認するステップと、前記確認が行われたことを条件に、前記一方の記録再生装置において、該ソフトデータの記録媒体からの再生および前記他方の記録再生装置への送信を行うとともに、前記他方の記録再生装置において、送信されたソフトデータの記録媒体への記録を行うステップと、前記他方の記録再生装置における記録媒体への記録終了に応じて、前記一方の記録再生装置において、前記許可データの状態を判定し、該許可データが第１状態であれば、前記一方の記録再生装置の記録媒体上の前記ソフトデータを削除するステップと、を備えたことを特徴とする。
【０００９】
本発明の請求項１記載のソフトデータの管理方法によれば、一方の記録媒体の１つのソフトデータの他方の記録媒体への移動指示を受け付け、該移動指示に応じて、一方の記録媒体からソフトデータに付加された許可データを読み出し、該読み出した許可データがその他状態である場合、記録再生装置の表示部にダビングができない旨の表示を行い、該読み出した許可データが第１状態または第２状態である場合、読み出したソフトデータを他方の記録媒体上に書き込み、該読み出した許可データが第１状態である場合、前記書き込むステップの実行後、前記一方の記録媒体上のソフトデータを削除する。したがって、第１状態のときソフトデータは一方の記録媒体から他方の記録媒体に移動する。
【００１０】
本発明の請求項２記載のソフトデータの管理方法によれば、デジタル接続ケーブルで接続された２台の記録再生装置からなる記録再生システムにおいて、請求項１と同様な作用効果が得られるとともに、ソフトデータの記録再生に先立って、一方の記録再生装置で再生するソフトデータに付加された許可データを他方の記録再生装置との間で送受信することにより、該許可データが第１状態または第２状態であり、かつ、２台の記録再生装置が同規格の機種であることが確認される。
【００１２】
【発明の実施の形態】
図１は本発明の一実施例のソフトデータの管理方法を適用したＭＤデッキのブロック図である。実線で図示した部分は１台のＭＤドライブを備えた第１実施例のＭＤデッキを示し、破線で図示した部分を付加した全体は２台のＭＤドライブを備えた第２実施例のＭＤデッキを示している。ＣＰＵ１はパネルスイッチ２の操作に応じてデッキ全体の制御を行い、アナログ入力信号の録音再生、デジタル信号の録音再生を行う。なお、パネルスイッチ２には、録音再生を行うために、図示しないＡ／Ｄ入力録音スイッチ、Ａ／Ｄ入力録音停止スイッチ、Ｄ／Ａ出力再生スイッチ、Ｄ入力録音スイッチ、Ｄ出力再生スイッチ、ＡｔｏＢ移動スイッチを備えている。また、動作状態やメッセージなどを表示部３に表示する。ＲＯＭ４は制御プログラム等を記憶しているメモリ、ＲＡＭ５はワーキングエリア等に使用されるメモリである。
【００１３】
外部から入力されるアナログ入力信号は、Ａ／Ｄ変換回路６でデジタルデータに変換され、圧縮回路７で圧縮される。この圧縮されたデータはＤＭＡコントローラ８によりドライブＡ９（またはドライブＢ１０）に転送され、ＭＤに記録される。また、ドライブＡ９（またはドライブＢ１０）によりＭＤから読み出された圧縮されたデジタルデータは伸張回路１１で伸張され、Ｄ／Ａ変換回路１２でアナログ信号に変換されて出力される。アナログ入力信号は、もう１台のＭＤデッキの再生、ＣＤプレーヤーの再生、ＤＡＴの再生あるいはマイクなどにより入力されるものである。なお、Ｆｓ発生回路１３はＡ／Ｄ変換回路６およびＤ／Ａ変換回路１２におけるサンプリングクロックを発生する回路である。
【００１４】
第１実施例は図１のＭＤデッキを２台用いる場合であり、デジタルＩ／Ｏ回路１４を介して光デジタル接続ケーブルまたは同軸デジタル接続ケーブルで互いに接続し、２台のＭＤデッキ間でデジタル信号の授受を行う。例えば、もう一台のＭＤデッキでＭＤから読み出したデジタル信号がデジタルＩ／Ｏ１４を介して取り込まれ、ドライブＡ９のＭＤに直接書き込まれる。また、ドライブＡ９のＭＤから読み出したデジタル信号はデジタルＩ／Ｏ回路１４を介してデジタル出力信号としてもう１台のＭＤデッキに出力される。
【００１５】
この実施例は、アナログ入力によりＭＤに録音した曲をオリジナルのソフトデータとし、このオリジナルのソフトデータを別のＭＤにコピーするものである。その際に、各曲には許可データが付加される。この許可データの値が“２”（「第２状態」）のときは、デジタル信号のままのコピー許可を示し、値が“１”（「第１状態」のときは、別のＭＤへのデジタル信号のままのムーブ許可を示し、値が“０”（「その他状態」）のときはデジタル信号のままのコピー禁止を示す。また、第１実施例では、２台のＭＤデッキ間で許可データの送受信を行うことにより、互いに同じ規格であることを確認して曲データの送受信を行うようにしている。
【００１６】
図２〜図５図は第１実施例と第２実施例に共通なメインルーチンとアナログ信号の処理に係るフローチャート、図６および図７は第１実施例のデジタル信号の処理に係るフローチャート、図８は第２実施例のデジタル信号の処理に係るフローチャートである。なお、以下の説明およびフローチャートにおいて、制御に用いられるレジスタを下記のレベルで表記し、それらの記憶内容あるいは対応するデータは特に断らない限り同一のラベルで表す。
ｉ：録音する曲の曲番号
ｊ：再生する曲の曲番号
ＳＮ（ｉ）：録音する曲の曲名
ＳＥＰ（ｋ）：ｋ番の曲の許可データ
ＲＳ：規格確認のために送受信する許可データ
【００１７】
図２のメインルーチンの処理では、ステップＳ１で各種レジスタやフラグのリセット等の初期設定を行い、ステップＳ２でパネルスイッチ２の操作に応じた処理を行う。ステップＳ３でその他の処理を行ってステップＳ２に戻る。
【００１８】
図３の処理は、パネルスイッチ２のＡ／Ｄ入力録音スイッチの操作により起動される。ステップＳ１１でレジスタｉに曲番号をセットし、ステップＳ１２で曲名をレジスタＳＮ（ｉ）にセットするとともに、許可データ“２”をレジスタＳＥＰ（ｉ）にセットする。
【００１９】
次に、ステップＳ１３で録音準備を行う。この録音準備は、ドライブＡの駆動開始などを行う「ＭＤＤ設定」、ＭＤ内の録音エリアを決める「録音エリア設定」、Ａ／Ｄ変換回路６へのＡ／Ｄ変換スタート指示などを行う「Ａ／Ｄ設定」、ＤＭＡコントローラ８のＤＭＡチャンネルの設定などを行う「ＤＭＡＣ設定」および「その他設定」を行う。そして、ステップＳ１４でＤＭＡコントローラ８にスタート指示を出力して録音を開始し、処理を終了する。
【００２０】
図４の処理は、パネルスイッチ２のＡ／Ｄ入力録音停止スイッチの操作により起動され、ステップＳ２１で、ＤＭＡコントローラ８にストップ指示を出して録音を停止する。次に、ステップＳ２２で、曲名のデータＳＮ（ｉ）、許可データＳＥＰ（ｉ）、ＭＤの録音エリアを示すデータなど、録音した曲に対応する管理データをＲＡＭ５上に作成し、ステップＳ２３で管理データをＭＤの管理データ領域に書き込んで処理を終了する。
【００２１】
以上図３および図４の処理により、アナログ入力によるオリジナルのソフトデータがＭＤに記録されるとともに各曲にはコピー許可を示す許可データ（“２”）が付加されれる。
【００２２】
図５の処理は、パネルスイッチ２のＤ／Ａ出力再生スイッチの操作により起動される。ステップＳ３１でレジスタｊに曲番号をセットし、ステップＳ３２で再生準備を行う。この再生準備は、ドライブＡの駆動開始などを行う「ＭＤＤ設定」、ＭＤ内の再生エリアを決める「再生エリア設定」、Ｄ／Ａ変換回路１２へのＤ／Ａ変換スタート指示などを行う「Ｄ／Ａ設定」、ＤＭＡコントローラ８のＤＭＡチャンネルの設定などを行う「ＤＭＡＣ設定」および「その他設定」を行う。そして、ステップＳ３３でＤＭＡコントローラ８にスタート指示を出力して再生を開始し、処理を終了する。
【００２３】
図６および図７の処理は共に１台のＭＤデッキが備えている機能であるが、第１実施例では２台のＭＤデッキを接続し、録音側でパネルスイッチ２のＤ入力録音スイッチの操作により図６の処理を開始し、再生側でパネルスイッチ２のＤ出力再生スイッチの操作により図７の処理を開始する。
【００２４】
先ず図６の処理では、ステップＳ４１でレジスタｉに曲番号をセットし、ステップＳ４２で録音準備を行う。このとき再生側の処理開始により再生する曲データに対応する許可データ（ＳＥＰ）が送信されるので、ステップＳ４３で、例えば一定時間待機して再生側から送信される許可データ（ＳＥＰ）の受信処理を行い、ステップＳ４４で受信が有るかを判定する。受信がなければ処理を終了し、受信が有ればステップＳ４５で、受信した許可データ（ＳＥＰ）の値を判定する。
【００２５】
許可データが“１”であればステップＳ４６でレジスタＲＳに“１”をセットし、許可データが“２”であればステップＳ４７でレジスタＲＳに“２”をセットし、それぞれステップＳ４０１に進む。許可データが“１または２”以外であれば（例えば“０”）、ステップＳ４８で“録音できません”を表示し、ステップＳ４９で録音中止の指令を再生側に送信して処理を終了する。ステップＳ４０１では、レジスタＲＳの内容すなわち受信した許可データ（“１”または“２”）を再生側に送信し、ステップＳ４０２に進む。
【００２６】
この許可データが再生側で受信されると、再生側では先に送信した許可データと照合し、一致していれば再生した曲データを送信してくる。そこで、ステップＳ４０２で曲データを受信してＭＤに書き込み、ステップＳ４０３で録音が完了したか判定する。録音が完了していなければステップＳ４０４で“エラー”の表示を行い、ステップＳ４０５でエラーＡ信号を再生側に送出して処理を終了する。録音が完了していればステップＳ４０６で完了Ａ信号を再生側に送出する。
【００２７】
この完了Ａ信号が再生側で受信されると、再生側では再生した曲の管理データを送信してくるので、ステップＳ４０７で管理データを受信してＭＤに書き込み、ステップＳ４０８で管理データの書き込みが終了して録音が完全に完了したかを判定し、完了していなければステップＳ４０９で“エラー”の表示を行い、ステップＳ４１０でエラーＢ信号を再生側に送出して処理を終了する。録音が完了していればステップＳ４１１で録音した曲データに対応する許可データＳＥＰ（ｉ）を“１”にセットし、ステップＳ４１２で完了Ｂ信号を再生側に送出して処理を終了する。
【００２８】
図７の再生側の処理では、ステップＳ５１でレジスタｊに曲番号をセットし、ステップＳ５２で再生準備を行う。次に、ステップＳ５３で再生する曲データに対応する許可データＳＥＰ（ｊ）を送信する。この許可データが録音側で受信されると、録音側では受信した許可データをステップＳ４０１でＲＳとして折り返し送信してくるので、ステップＳ５４で、例えば一定時間待機して送信側から送信される許可データＲＳの受信処理を行う。次に、ステップＳ５５で受信が有るかを判定し、受信がなければ処理を終了し、受信が有ればステップＳ５６で、先に送信した許可データＳＥＰ（ｊ）と受信した許可データＲＳが一致するかを判定する。
【００２９】
許可データが一致しなければステップＳ５７で再生を中止して処理を終了し、一致すれば、ステップＳ５８で曲データを録音側に送信する。曲データの送信が終わり、録音側で録音が完了するとステップＳ４０６により完了Ａ信号が送信されてくるので、ステップＳ５９で受信処理を行い、ステップＳ５０１で完了Ａ信号の受信が有るかを判定する。受信がなければ、ステップＳ５０２で“エラー”の表示を行って処理を終了し、受信があればステップＳ５０３で、再生した曲の管理データを送信する。
【００３０】
この管理データを録音側が受信して録音が完全に完了すると完了Ｂ信号を送信し、また、録音が完了しなければエラーＢ信号を送信してくるので、ステップＳ５０４で受信処理を行い、ステップＳ５０５で受信内容を判定する。エラーＢ信号であればステップＳ５０６で“エラー”の表示を行って処理を終了し、エラーＢ信号でも完了Ｂ信号でもなければ、何らかの異常が発生していると判断してステップＳ５０７で“コピーガード”の表示を行い、ステップＳ５０８でＭＤ中のｊ番目の曲について再生できないように曲データにロックをかけて処理を終了する。完了Ｂ信号であれば、ステップＳ５０９で現在再生した曲データに対応する許可データＳＥＰ（ｊ）の値を判定し、“１”以外であればそのまま処理を終了し、“１”であればステップＳ５１０でＭＤ中のｊ番目の曲データを削除して処理を終了する。
【００３１】
以上の処理により、再生側と録音側とで再生および録音する曲データに対応する許可データの授受により、互いに同規格の機種であることを確認した後、再生および録音が開始される。また、録音側で曲データとその管理データの書き込みが完了したことを確認した後、録音側では録音した曲データに対応する許可データを“１”にセットし、再生側においては、再生した曲データに対応する許可データが“１”であればその曲データを削除する。
【００３２】
すなわち、コピーされた曲データは許可データが“１”とされ、このように許可データが“１”とされた曲データは次に別のＭＤにコピーされると削除される。したがって、オリジナルのＭＤからコピーされた曲データは別のＭＤにコピーする毎にムーブすることになり、無制限に複製が作られることがない。なお、オリジナルのＭＤの曲データは許可データが“２”になっているので、そのＭＤから削除されることはない。
【００３３】
図９は曲データのムーブ動作の一例を概念的に示す図であり、再生側のＭＤ（ＤＩＳＫ１）から録音側のＭＤ（ＤＩＳＫ２）に「曲２」の曲データをムーブした例を示している。ムーブ後では、ＤＩＳＫ１には「曲２」の曲データはなく、ＤＩＳＫ２に「曲２」の曲データがコピーされている。なお、同図では、ＤＩＳＫ１側の「曲２」の部分に「曲４」の曲データが詰まった状態で図示してあるが、これは管理データなどにより曲順がリンクされていることを概念的に示すものである。
【００３４】
図８の第２実施例の処理は図１においてドライブＡとドライブＢの２台のＭＤドライブを備えた場合の処理であり、１台のＭＤデッキで行う処理である。なお、この例では、ドライブＡを再生側、ドライブＢを録音側とし、パネルスイッチ２のＡｔｏＢ移動スイッチの操作により起動する。先ず、ステップＳ６１で、ドライブＡ側の曲番号をレジスタｊにセットするとともに、ドライブＢ側の曲番号をレジスタｉにセットし、ステップＳ６２でドライブＡ側の再生準備を行い、ステップＳ６３でドライブＢ側の録音準備を行う。
【００３５】
次に、ステップＳ６４で再生する曲データに対応する許可データＳＥＰ（ｊ）の値を判定し、“１または２”以外（例えば“０”）であれば、ステップＳ６５で“ダビングできません”の表示を行って処理を終了する。“１”または“２”であれば、ステップＳ６６でドライブＡ側のｊ番目の曲データを読み出してドライブＢ側のｉ番目の曲データとして書き込む。
【００３６】
次に、ステップＳ６７で書き込みが完了したか否かを判定し、完了していなければステップＳ６８で“エラー”の表示を行って処理を終了する。書き込みが完了していれば、ステップＳ６９でドライブＡ側のｊ番目の曲の管理データを読み出して、ドライブＢ側のｉ番目の管理データとして書き込む。そして、ステップＳ６０１で現在再生した曲データに対応する許可データＳＥＰ（ｊ）の値を判定し、“１”以外であればステップＳ６０３に進み、“１”であれば、ステップＳ６０２でドライブＡ側のｊ番目の曲データを削除してステップＳ６０３に進む。ステップＳ６０３では、ドライブＢ側の現在書き込んだ曲データに対応する許可データＳＥＰ（ｉ）を“１”にセットして処理を終了する。
【００３７】
以上の処理は第１実施例の２台のＭＤデッキによる処理を１台のＭＤデッキで内部処理するものであり、第１実施例と同様に、コピーされた曲データは許可データが“１”とされるとともに、再生側の許可データが“１”の場合はその曲データはコピーされると削除され、無制限に複製が作られない。また、許可データが“２”であるオリジナルの曲データはそのＭＤから削除されない。
【００３８】
なお、ＭＤ中の曲データを削除するとは、例えば、その曲データの管理データを無効にしてその曲データの領域を空き領域とするなど、その曲データの読み出しを不能にすること、あるいは曲データを実際に消去することの、いずれの処理も含むものである。
【００３９】
上記の実施例では、アナログ入力処理によりオリジナルの曲データを録音してその許可データを“２”にするようにしているが、コピー禁止にする場合には許可データを“１または２”以外の値（例えば“０”）に設定すればよい。また、許可データは特定状態とその他状態を区別できるものであれば、実施例に限定されるものではない。
【００４０】
また、上記の実施例では、オリジナルの曲データを実施例のＭＤデッキで録音するとともに許可データを“２”にセットするようにしているが、オリジナルの曲データおよび許可データは実施例のＭＤデッキで記録したものでなくてもよく、許可データを付加する規格で作成したＭＤであればソフトメーカー等で作成したものなど、他から供給されたものでもよい。
【００４１】
また、上記の実施例では、再生側で再生した曲データを録音側のＭＤに直接書き込むようにしているが、例えばハードディスクなどのメモリに適当な記録領域を設け、この記録領域に一旦書き込んだデータをＭＤに書き込むようにしてもよい。
【００４２】
また、上記の実施例では、ＭＤを例に説明したが、デジタル信号の録音再生を対象とするものとしてはＤＡＴでもよく、オリジナルの再生専用としてはＣＤを対象としてもよい。さらに、これらの記録媒体を組み合わせて録音再生を行う場合でもよい。なお、これらの記録媒体を組み合わせる場合は、デジタル信号の送受信を行ったあと、各記録媒体の規格に応じたデジタルデータの変換処理を行う。例えば、ＣＤやＤＡＴとＭＤとの間でデジタル信号の録音を行う場合には、圧縮処理あるいは伸張処理を行う。このような処理を行っても、デジタル信号の授受を行うのでアナログ信号で録音再生を行うよりは音質の劣化が防げる。
【００４３】
フロッピーディスク等では、シールで検出穴をふさいだり、検出窓を閉じたりすることで記録媒体の「書込み禁止」を設定できるようになっているものがある。読み出し元の記録媒体が「書込み禁止」になっている場合、同記録媒体上のソフトデータの削除ができない。本発明の許可データが所定状態の時は、該ソフトデータの別の媒体への書込時に該元の記録媒体のソフトデータを削除しないといけないが、それが不能である。したがって、読み出し元の記録媒体が「書込み禁止」で、かつ、許可データが所定状態であることを検出し、その場合、該ソフトデータの別の媒体への書き込みを禁止するようにすれば良い。
【００４４】
【発明の効果】
以上説明したように本発明の請求項１記載のソフトデータの管理方法によれば、第１の記録媒体の曲データの第２の記録媒体への移動指示に応じて、第１の記録媒体のソフトデータがコピー許可とされているものであれば第２の記録媒体にそのソフトデータがコピーされるとともに第２の記録媒体において該ソフトデータがコピー禁止とされ、また、第１の記録媒体のソフトデータがコピー禁止とされているものであれば第２の記録媒体にそのソフトデータがコピー禁止のままムーブされ、また、第１の記録媒体のソフトデータがコピー禁止及びムーブ禁止とされているものであれば何も実行しないので、音質等を劣化させずに録音し、かつ、複製を作らないようにしながら、編集を容易にすることができる。また、ユーザは、その曲データの許可データの状態に関わらずソフトデータの移動指示をすることができる一方、装置は、許可データに応じてソフトデータの適切なコピー乃至移動処理を行うことができる。
【００４５】
また、本発明の請求項２のソフトデータの管理方法によれば、請求項１の効果に加えて、接続された２台の記録再生装置でのソフトデータのダビングにおいて、そのダビングに先立って、２台の記録再生装置が同規格に基づいており適切なコピー管理が行えること確認することができる。
【図面の簡単な説明】
【図１】本発明の一実施例のソフトデータの管理方法を適用したＭＤデッキのブロック図である。
【図２】実施例におけるメインルーチンのフローチャートである。
【図３】実施例におけるＡ／Ｄ入力録音スイッチ処理のフローチャートである。
【図４】実施例におけるＡ／Ｄ入力録音停止スイッチ処理のフローチャートである。
【図５】実施例におけるＤ／Ａ出力再生スイッチ処理のフローチャートである。
【図６】第１実施例におけるＤ入力録音スイッチ処理のフローチャートである。
【図７】第１実施例におけるＤ出力再生スイッチ処理のフローチャートである。
【図８】第２実施例におけるＡｔｏＢ移動スイッチ処理のフローチャートである。
【図９】実施例における曲データのムーブの一例を概念的に示す図である。
【符号の説明】
１…ＣＰＵ、２…パネルスイッチ、３…表示部、９…ドライブＡ、１０…ドライブＢ、１４…デジタルＩ／Ｏ。
【図１】
0003557818.tif 000002
【図２】
0003557818.tif 000003
【図３】
0003557818.tif 000004
【図４】
0003557818.tif 000005
【図５】
0003557818.tif 000006
【図６】
0003557818.tif 000007
【図７】
0003557818.tif 000008
【図８】
0003557818.tif 000009
【図９】
0003557818.tif 000010